(57)【要約】【課題】  預貯金の通帳又は振込明細書、又は帳面又は折り返した紙片等を整理保管するための保持具を提供する。【解決手段】、預貯金通帳、又は振込明細書帳又は帳面又は折り返した紙片等を保持するための板状の保持部の適宜位置に複数の挿入用の開口部を設けて前記預貯金通帳又は前記振込明細書帳又は前記帳面又は前記折り返した紙片等に依って狭持し、且つ、狭持することによって、保持される前記帳面類又は前記折り返した紙片等が互いの密着して、投げ出された状態に於いても、それら前記保持された書類面が開放されないように前記狭持部を形成したことである。【選択図】      図１
2006327172.tif 000002
【特許請求の範囲】
【請求項１】
預貯金通帳、又は振込明細書帳又は帳面又は折り返した紙片等の保持物を、保持するための保持部材の適宜位置に、前記保持物を挿入するための開口部を複数設け、前記複数の開口部を介して挿入された前記保持物によって狭持し前記保持物が脱落しないように保持する狭持部を形成したことを特徴とする、帳面等の保持具。
【発明の詳細な説明】
【技術分野】
【０００１】  本発明は、預貯金の通帳又は振込明細書帳（振込帳）、又は帳面又は折り返した紙片等を整理保管するための帳面等の保持具である。
【背景技術】
【０００２】  従来、預貯金の通帳又は振り込み用の通帳類は、各家庭や事務所等に於いて多く保管されているが、一冊ずつ袋に入れて保管するのが一般的で、又は各通帳を一纏めにし、輪ゴム等で束ねて保管場所に保管するか又は、例えば、金庫又は引き出し又は戸棚等に入れて保管するか、又は、複数冊の通帳類をバラバラのまま、保管場所に保管する場合もあり、その保管に当たり極めて煩雑であり、そのまま保管した場合や、誤って放置した場合、容易に預貯金通帳の頁を開くことが出来るため、預貯金通帳の記載内容を見られたり、抜き取られても気が付きにくい等、保管時の管理や秘密の保持が困難であった。【０００３】  又、預金通帳と同様の形態をした振込明細書帳等を用いて振込をする場合に於いても、振込明細書の保管や管理も上記と同様に煩雑であった。
【発明の開示】
【発明が解決しようとする課題】
【０００４】  上記の如く、預貯金の通帳又は振込明細書帳等を保管する場合、コンパクト且つ、不用意に投げ出しても、貯金通帳又は振込明細書帳等のページが開き難く、従って預貯金通帳の記載を簡単に見難く、又、保管時抜き取られても容易に発見が可能で、管理が容易な帳面等の保持具を提供することである。
【課題を解決するための手段】
【０００５】  本発明に依れば、預貯金通帳、又は振込明細書帳又は帳面又は折り返した紙片等を保持するための板状の保持部の適宜位置に複数の挿入用の開口部を設けて前記預貯金通帳又は前記振込明細書帳又は前記帳面又は前記折り返した紙片等に依って狭持し、且つ、狭持することによって、保持される前記帳面類又は前記折り返した紙片等が互いの密着して、投げ出された状態に於いても、それら前記保持された書類面が開放されないように前記狭持部を形成したことである。
【発明の効果】
【０００６】  預貯金の通帳又は振込明細書帳等を保管する場合、コンパクトに収納保管が出来、且つ不用意に投げ出しても、貯金通帳又は振込明細書帳等のページが開き難いため、預貯金通帳の記載を簡単に見ることが出来ない、従って盗み見等をされることなく、コンパクトの収納できるから狭い収納スパースにも適応でき、保持カバーの側端部方向から保持物の確認が容易にできるため、保管時に抜き取られても容易に発見ができ、保管時の管理が容易な帳面等の保持具を提供することができる。
【発明を実施するための最良の形態】
【０００７】  以下、本発明の実施の形態について説明すると、保持部材１に保持部材端部４、４及ぶ保持部材側端５、５を残した適宜な位置に、保持しようとする預貯金通帳、又は振込明細書帳、又は帳面又は折り曲げた紙片等（以下保持物という）が、挿通可能な大きさから成る複数の開口部２を設け、この開口部２、２を介して狭持部３を形成してある。【０００８】  更に、保持部材側端５の近接部に、折曲部を介して保持カバー６を設けるための舌片８を形成するとよく、更に、保持部材１は略中央部付近に折曲部２Ｆを介して山形又は谷形に形成し、狭持部３の面を傾斜状に維持する事が好ましく、この時狭持部３の傾斜角度は概ね、狭持部３を跨いで開口部２、２に預貯金通帳、又は振込明細書帳、又は帳面、又は折り畳んだ紙片等を挿入しやすい傾斜であることが望ましい。【０００９】  更に、狭持部３を跨いで開口部２、２に保持物Ｙを挿入した状態に於いて、複数の開口部２、２の周縁部に矯正されるため、挿入された保持物Ｙの開放された頁が閉じようとする力によって、狭持部３は背部Ｚに対し、直角方向に捻られると共に、この捻り力の作用によって保持部材１全体も折曲部１Ｆ、１Ｆ及び折曲部２Ｆを介して角度が変化し、保持物Ｙを互いに密着させ、且つ、保持物Ｙのペイジ又は折り返した部分が開放されにくい状態で保持されるように形成してある。【００１０】  又、保持部材１の一方の側端５を保持カバー６の折曲部３Ｆ付近の内面に設けても良く、この時、他の側端５を狭持するための舌片８を、保持カバー６に設けることも可能である。
【実施例】
【００１１】  以下、本発明の実施例を図面に基づいて説明すると、保持部材１（図１、図４）と保持カバー６（図２）から成り、紙又は合成樹脂等のフィルム状、又は板状から成る適宜な大きさの保持部材１に、複数の開口部２、２、２、２、２を設け、狭持部３を形成してあり、保持部材１は例えばヒンジ性を備えた折曲部１Ｆ、１Ｆ及びヒンジ性を備えた折曲部２Ｆを形成する必要上から、ポリプロピレン、又はポロエチレン、又は紙、又は軟質樹脂、又は皮その他のヒンジ性を加味できる素材を用いることが望ましく、保持部材１の対向する辺の間に開口部２設け
、開口部２は端部４、４及び側端５、５を残して適宜に複数配設し、（ここに言う適宜とは）保持しようとする保持物Ｙが、挿通可能な大きさであって、複数の開口部２、２を介して狭持部３を形成した場合、保持物Ｙによって狭持部３が矯正されるに必要な幅と、大きさと、配置である。【００１２】  更に、保持部材１の略中央に折曲部２Ｆを設け山状（図４）、又は図示しないが谷状を形成してあり、狭持部３は保持部材１によって山形に形成されたこの山形の角度に従った若干の角度を備えることが望ましく、これは開口部２へ保持物Ｙを挿入する場合、挿入作業を容易にし、更に、保持部材１の側端５、５に折曲部１Ｆ、１Ｆを形成し、この折曲部１Ｆ、１Ｆ、を形成することにより、保持部材１の山形の側端５、５のうち何れか一方の側端５を、保持カバー６の内側面に設け（図３）ると共に、保持カバー６の略中央付近にヒンジ性を備えた折曲部３Ｆ、３Ｆを設けてある。
故に、折曲部１Ｆ、１Ｆ及び折曲部２Ｆ及び折曲部３Ｆ、３Ｆはそれぞれ切り離してヒンジを設けて連接することも可能であることは言うまでもない。【００１３】  従って、先に述べた如く保持部材１（図示しないが）を谷形に形成することも可能であり、側端５を保持カバー６の内面に設けるに当たって、その方法は接着、又は溶着、又は粘着等の方法でよく、例えば、固着部５Ａを設けて固着することも可能であり、又、他の側端５を安定的に保持する必要が生じた場合、保持カバー６の適宜位置に切り裂きを介して舌片８を設けると良く、尚この場合に於いては、側端５を挿入狭持しやすいように切り裂き７の端部に開口部９、９を設けることにより、切り裂き７の端部には開口部９の直径に等しいゆるみが生じるため、側端５の厚みを無理なく許容し、安定的に狭持することができる（図５）。【００１４】  従って、狭持部３を跨いで開口部２、２に保持物Ｙを挿入した場合、保持物Ｙは開口部２、２のそれぞれの外側までの距離に誘導矯正され、保持物Ｙの開かれた状態から閉じる方向（図面上の矢印方向）、力方向Ｔ、Ｔから力が加わり、狭持部３を捻る働きが生じる（図６）。
このため、挿入された保持物Ｙの開かれた頁が閉じようとする力Ｔ、Ｔによって狭持部３は保持カバー６の背部Ｚに対し、直角方向に捻られることとなり、この捻られる力の作用によって、山形に形成された保持部材１の山形の幅方向の距離が引き寄せられ、ヒンジ性を備えた折曲部１Ｆ、１Ｆ、２Ｆのヒンジ作用を介して保持部材１の山形の角度が変化し、保持物Ｙを互いに密着させ、且つ、保持物Ｙの頁、又は折り返した部分が開放されにくい状態で保持されるように形成してあり、これに伴って保持カバー６をも閉じる方向に作用する。【００１５】  又、保持カバー６に於いては保持部材１の一方の側端５を、保持カバー６の折曲部３Ｆ、３Ｆ付近の内面に設けた保持部材１に、預貯金通帳等の保持物Ｙを保持した状態に於いて、保持カバー６が表紙として機能する大きさであることが望ましく、折曲部３Ｆ、３Ｆを設けるに当たって、それぞれの距離は保持部材１に保持物Ｙを保持した状態に於いて、保持部材１の山形に形成された幅の距離と等しいか、又は近似した距離又は若干広い距離であることが望ましい。【００１６】  従って、実施例１の帳面等の保持具を使用するには、保持カバー６を開くと共に、保持物Ｙを預貯金通帳と想定して説明すると、保持物Ｙの適宜なページをき、保持部材１に設けた複数の開口部２、２のそれぞれに狭持部３を跨がせるように挿入し保持する。
更に、複数冊の保持物Ｙを保持するに際し、保持物Ｙの一方が挿入は持されている開口部２と狭持部３を介して並設された開口部２に、ページを開いた状態で狭持部３を跨がせるように保持物Ｙを挿入保持する。【００１７】  更に、挿入保持作業が終了した後、保持カバー６を閉じるが、この時、保持カバー６に舌片８を設けてある場合に於いて、必要に応じて開放状態にある一方の側端５を舌片８に挿入狭持（図５）させると、保持部材１をより安定的に、所定の位置に保持することができると共に、保持カバー６が開きにくくなる結果、保持された預貯金通帳は盗み見されることはない。【００１８】  又、狭持部３を跨いで複数の開口部２、２に保持物Ｙを保持する結果、複数の開口部２の両側の外縁部に誘導され、保持物Ｙは閉じる方向に矯正されるため、狭持部３は図６の如く異なる両方向（図６に於いて狭持部３の上側と下側）の異なるから方向から力Ｕが加わるため、背面方向に対して直角方向に矯正されるばかりでなく、複数の保持物は互いに密着するため、保持物Ｙのページが開き難く保持され、容易に保持物Ｙのページを開いて盗み見することができない他、袋やポケット等に収納する場合に比べ、多数の保持物Ｙを薄く、コンパクトに収納することができ、製造に当たって、作業工程も少なく、部品の点数が少ないため製造コストが安価となる等の効果もある。【００１９】  このため、預貯金通帳その他振込明細帳等を一冊ずつ袋に入れる必要が無く、一纏めにして輪ゴムで束ねる必要もなく、バラバラにならないから、保管時の煩雑や乱雑感がなく、コンパクトの保管や管理が出来、預貯金通帳又は振込明細帳等、内容を人に見られたくない帳面類を投げ出した場合に於いても、ページが開くことはないと共に、保持カバー６の側端部方向から保持物Ｙの確認すれば、保持物Ｙが袋やカバー等を介せず保持されているため、保持物Ｙの確認が極めて鮮明に且つ容易にできるため、保管時の管理、例えば袋等の障害物を用いる場合に比して、保持物Ｙの数量の確認が容易であり、実用的な利便性を備えた帳面等の保持具を提供することができる。
但し、図６に於いては図面上の表現を判りやすくするため、保持物Ｙが完全に挿入し切れた状態にせず、若干浮かせた状態にしてあるため、保持物Ｙの隙間が多く見えている。【００２０】  図７は本発明の実施例２を示す平面図で、一枚の板状の基材に、切欠部Ｔを介して折り曲げ部Ｅを形成し、一方を保持部材１として複数の開口部２、２を設け、複数の開口部２を介して、複数の狭持部３、３が構成し、且つ、ヒンジ性を備えた複数の折曲部１Ｆ、１Ｆと折曲部２Ｆを形成して山形の保持部材１が構成されるように形成してある。
更に、保持カバー６を構成する側の基材の対向する辺の間に、ヒンジ性を備えた複数の折曲部３Ｆ、３Ｆを設けると共に、この折曲部３Ｆ、３Ｆの外側に保持部材１の側端５、５を保持カバー６に固定する手段として、切り裂２Ｔ、２Ｔを形成し、切り裂き２Ｔ、２Ｔを介して舌片２Ｌ、２Ｌを形成してある。
又、舌片２Ｌを形成するに当たって、図示しないが、切り裂き２Ｔに替えて、舌片２Ｌに周縁とおぼしき部分を切り欠いて舌片２Ｌを形成してもよいことは言うまでもない。【００２１】  従って、板状の保持カバー６は略中央付近の対向する辺の間に、複数の折曲部３Ｆ、３Ｆ形成し、本等の表紙状を構成すると共に、切欠部Ｔを介して形成された折り曲げ部Ｅを内側に折り曲げることにより、保持部材１が保護カバー６の内側に位置し、更に、保持部材１に複数の開口部２、２、２、２を介して複数の狭持部３、３、３が形成され、且つ、折曲部１Ｆ、１Ｆと折曲部２Ｆを形成してある。【００２２】  よって、本実施例を使用するには折り曲げ部Ｅを内側に折り曲げ、保持部材１が保持カバー６の内側に位置させると共に、折曲部１Ｆ、１Ｆと折曲部２Ｆを折り曲げて山形に形成し、一方の側端５を切り裂き２Ｔによって形成された舌片８に挿入狭持させ、複数の開口部２、２に開いた状態の保持物Ｙを保持部３を跨がせるように挿入し、他の側端５を他の舌片８に依って狭持させればよい。【００２３】  従って、保持部材１は複数の折曲部１Ｆ、１Ｆと略中央の折曲部２Ｆを介して、山形に形成され、保持部３が角度を変えることによって、山形の角度が鈍角から鋭角へ、又は鋭角から鈍角へと角度を変えることによって、山形の下部の距離が長縮するように構成してあり、保持部材１の全体がヒンジ性を備えた折曲部１Ｆ、１Ｆ及び２Ｆを介して角度が変化し、保持物Ｙを互いに密着させて、保持物Ｙのペイジ又は、折り返した部分が開放されにくい状態で保持されるように形成してあるから、作用及び効果ともに実施例１と同様である。【００２４】  図８は本発明の実施例３の保持部材を示す平面図、図９は本実施例の保持カバーを示す平面図で、この実施例に於いては、保持部材１の適宜位置、例えば、側端５、５端部に保持カバー６に保持するための、複数の舌片３Ｌ、３Ｌ、３Ｌ、３Ｌを形成すると共に、保持カバー６の略中央付近に、この保持カバー６を折り曲げて表紙状を形成するために複数のヒンジ３Ｆ、３Ｆを形成すると共に、複数の舌片３Ｌ、３Ｌ、３Ｌ、３Ｌを挿着保持するための切り裂き３Ｔ、３Ｔ、３Ｔ、３Ｔを設けてある。
従って、この実施例に於いても保持部材１には複数の開口部２、２、２、２を形成し、この複数の開口部２を介して、複数の狭持部３、３、３を構成すると共に、折曲部１Ｆ、１Ｆ、２Ｆを介して、保持部材１は山形に構成されることは言うまでもない。【００２５】  従って、一方の複数の舌片３Ｌ、３Ｌ、を切り裂き３Ｔ、３Ｔに挿着後、複数の開口部２，２、に保持物Ｙを挿入した後、他方の舌片３Ｌ、３Ｌを切り裂き３Ｔ、３Ｔに挿着することによって、本実施例に於いても他の実施例と同様の作用及び効果を得ることができるものである。【００２６】  図１０は、本発明の実施例４を示す展開斜視図で、一枚の基材の略区中央の対向する辺の間にヒンジ性を備えた折曲部２Ｆを設けると共に、この折曲部２Ｆの両側の適宜位置に折曲部１Ｆ、１Ｆ設け、折曲部１Ｆ、１Ｆの外側を保持はバー６を形成してある。
従って、折曲部１Ｆから折曲部１Ｆの間を保持部材１として構成するもので、複数の開口部２、２、２を介して複数の狭持部３、３、３、３を形成してあることは言うまでもなく、保持部材１に依って形成される山形は、複数の狭持部３、３、３が保持物によって捻られる力が働くため、他の実施例と同様の保持作用及び、効果を得ることができるものである。【００２７】  図１１は実施例５を示す展開斜視図、図１２は保持物を保持した状態を示す端部の断面図で、保持カバー６の対向する辺の間略中央付近に折曲部３Ｆ、３を形成してあり、更に、保持部材１に複数の開口部２、２、２、２を設けると共に、この複数の開口部２、２、２、２、を介して複数の狭持部３、３、３を形成してある。
更に、保持部材１と保持カバー６との関係は、保持部材１の一方の側部５を保持カバー６の内面、折曲部３Ｆ付近に接着又は、粘着又は、溶着等の手段によって設けたあり、この他、図示しないが保持カバーに切り裂きを設け、保持部材の側部又は側部に舌片を設けて挿入保持することも可能で、保持物Ｙを開口部２、２に挿入保持（図１２）すると、狭持部３を跨いで、開口部２、２に保持物Ｙを挿入した状態に於いて、挿入された保持物Ｙの開放され、頁が開口部２、２の両側辺に押されて閉じようとする力が発生し、この力によって、狭持部３は保持カバー６に対面する方向に捻られると共に、この捻り力の作用によって保持部材１全体もヒンジを介して角度が変化し保持物を互いに密着させ、且つ、保持物Ｙの頁、又は折り返した部分が開放されにくい状態で保持されるように形成してあるから、他の実施例と同様の作用及び効果を得ることができるものである。
【図面の簡単な説明】
【００２８】
【図１】  本発明の実施例１の保持部材を展開した斜視図である。
【図２】  本発明の実施例１の保持カバーを展開した斜視図である。
【図３】  本発明の実施例１の保持カバーに保持部材を設けた状態を示す展開斜視図である。
【図４】  本発明の実施例１の保持部材を山形の状態を示す斜視図である。
【図５】  本発明の実施例１の保持部材と保持カバーの端面の状態を示す側面図である。
【図６】  本発明の実施例１に保持物を保持した参考の側端断面図である。
【図７】  本発明の実施例２の展開状態と示す平面図である。
【図８】  本発明の実施例３の保持部材を展開した状態を示す平面図である。
【図９】  本発明の実施例３の保持カバーを展開した状態を示す平面図である。
【図１０】  本発明の実施例４を展開した状態を示す斜視図である。
【図１１】  本発明の実施例５を展開した状態を示す斜視図である。
【図１２】  本発明の実施例５に保持物を保持した状態を示す側端部の断面図である。
【符号の説明】
【００２９】１  保持部材
２  開口部
３  狭持部
４  端部
５  側端
５Ａ  固着部
６  保持カバー
７  切り裂き
８  舌辺
９  開口部
１Ｆ  折曲部
２Ｆ  折曲部
３Ｆ  折曲部
Ｙ  保持物
Ｔ  力の方向
Ｚ  背部
Ｔ  切欠
Ｅ  折り曲げ部
２Ｔ  切り裂き
３Ｌ  舌片
３Ｔ  切り裂き
【図１】
2006327172.tif 000003
【図２】
2006327172.tif 000004
【図３】
2006327172.tif 000005
【図４】
2006327172.tif 000006
【図５】
2006327172.tif 000007
【図６】
2006327172.tif 000008
【図７】
2006327172.tif 000009
【図８】
2006327172.tif 000010
【図９】
2006327172.tif 000011
【図１０】
2006327172.tif 000012
【図１１】
2006327172.tif 000013
【図１２】
2006327172.tif 000014